(57)【特許請求の範囲】
【請求項１】
胴部が前後両面壁と左右両側壁との囲みとなる矩形から菱形方向へ折畳み・折開き可能に組み立てられ、前面壁に下端部近くから上端に至る部分を開閉扉として開き得るように下端近くに横切りを形成し、それより下が貯水部となる縦長の包装ケースと、その貯水部に内装される水袋と、水袋の上面を覆うその袋口の補強用の鍔板部材とからなり、鍔板部材は、包装ケース内に納まるほゞ矩形の幅であるとともに、包装ケースの折畳み中心となる一対角線に沿って二つ折りできる山折り線が設けられた水袋付き立式切り花ケースにおいて、水袋が鍔板部材の二つ折りに挟まれ垂れるよう支持され且つ鍔板部材の放射状切込みの一部を水袋の間に挟んであり、また、鍔板部材には、山折り線の中間位置で分かれる一方の半片側の両側端縁にそれぞれヒンジ折りを介して連結片を揺動可能に突設し、包装ケースの一の前面壁と一の側壁とにそれぞれその連結片を固着し、他方の半片側の両側端縁は、包装ケースから離脱可能にしてあって、ケースの菱形方向への折畳みの閉じに対して、その挟み込みで鍔板部材が二つ折りで順応し得るように構成してあることを特徴とする水袋付き立式切り花ケース。
【請求項２】
鍔板部材の他の半片の両側端縁または一側端縁に短い突起片を設け、包装ケースの壁には突起片が鍔板部材の二つ折り時に抜ける掛止溝を設けてあることを特徴とする請求項１記載の水袋付き立式切り花ケース。
【請求項３】
鍔板部材が、その両端角が取られて角欠けを有することを特徴とする請求項１または２記載の水袋付き立式切り花ケース。
【請求項４】
胴部の下端と上端がフラップの組み込みで閉じられてなる底部と天部のうち、天部がフラップの組み込みにより通気及び覗き用の天窓を有し、且つ、前面壁に形成される開閉扉の上端のフラップが、開閉扉が開閉可能に天部の組み込みから着脱可能であることを特徴とする請求項１，２または３記載の水袋付き立式切り花ケース。
【発明の詳細な説明】
【技術分野】
【０００１】
この発明は、切り花を水につけて消費地へ輸送できるように、段ボール等で組み立てられる水袋付き立式切り花ケースに関する。
【背景技術】
【０００２】
切り花の輸送においては、横に寝かした包装状態ではストレスで活力を失うばかりか自重により傷みやすいこと、また、生花市場では立てた状態で商品価値を評価することが好まれること等から、本出願人においては、立てた状態で切り花を包装する縦長の段ボール製の包装ケースを開発してきた（特許文献１〜３）。
【０００３】
その水袋付き立式切り花ケースは、基本的には折畳みできるＡ式である縦長の段ボールケースと、その下端部に内装する平袋の水袋と、水袋の上に被せる鍔板部材とからなるものであって、前面では下端部近くから上端に至るまでがその面壁が扉状に開閉できるようになっていた。ここで問題となるのは、水袋と鍔板部材とがケースの折畳みに応じる構造である必要があった。それは注文によるユーザーへの輸送や、現地での反復使用においては、折畳みの状態が断然有利であるからである。なお、この明細書では、「折畳み」とはケースの胴部について菱形方向へ偏平に押しつぶすこと、「折開き」とは逆に矩形に復元することをいうものとする。
【先行技術文献】
【特許文献】
【０００４】
【特許文献１】２００７−２１６９９４号公報
【特許文献２】２００７−２０４１２８号公報
【特許文献３】２００５−２９８０５４号公報
【発明の概要】
【発明が解決しようとする課題】
【０００５】
本出願人において、開発経過から、実施例の図４に示すように、横長のプラスチックフィルムチューブの両端をシールし、上端中央に円形の袋口となる半円の切欠を設けた正面から見て偏平な平袋が有効使用できる知見を得ている。これであると、平袋の両面をケースの内面に接着しておけば、ケースの折開きにもその水袋がチューブとして容易に順応したからであった。つまり、従来は、水袋は直接的にはケースの開閉に順応し、水袋のその開閉に鍔板部材が順応していた。しかし、これでは、剛性が比較的ある鍔板部材は、軟弱な水袋の開閉に応じがたく、ときには包装ケースの開閉中に特別に手直し手入れ操作を要することもあった。
【０００６】
また、鍔板部材は、包装ケースからの衝撃を緩和しなく、直接受けた力で水袋から剥離しやすく、特に接着不十分であると水袋から脱落するおそれがあった。また、切り花を水袋に入れる際、鍔板部材に茎の先端が引っ掛かり、水袋の接着が外れるおそれがあった。しかし、包装ケースの折畳み・折開きの機能を確保する必要から、鍔板部材を包装ケースと直接一体化することは、これが折畳み・折開きの支障となることからできないでいた。
【０００７】
この発明は、結果的には菱形方向への折畳み形式の包装ケースに伴うこの問題を解決するために鋭意実験と研究を重ねてきた成果であって、開発経過からすると、水袋の上を覆う鍔板部材が包装ケースと直接連結されていても、ケースの折畳み・折開きの支障にはならなく、包装ケースの折畳み・折開きに鍔板部材が、また鍔板部材の開閉に水袋が順次順応する水袋付き立式切り花ケースを提供することを課題としたものである。
【課題を解決するための手段】
【０００８】
上記の課題を解決するために、この発明は、胴部が前後両面壁と左右両側壁との囲みとなる矩形から菱形方向へ折畳み・折開き可能に組み立てられ、前面壁に下端部近くから上端に至る部分を開閉扉として開き得るように下端近くに横切りを形成し、それより下が貯水部となる縦長の包装ケースと、その貯水部に内装される水袋と、水袋の上面を覆うその袋口の補強用の鍔板部材とからなり、鍔板部材は、包装ケース内に納まるほゞ矩形の幅であるとともに、包装ケースの折畳み中心となる一対角線に沿って二つ折りできる山折り線が設けられた水袋付き立式切り花ケースにおいて、水袋が鍔板部材の二つ折りに挟まれ垂れるよう支持され且つ鍔板部材の放射状切込みの一部を水袋の間に挟んであり、また、鍔板部材には、山折り線の中間位置で分かれる一方の半片側の両側端縁にそれぞれヒンジ折りを介して連結片を揺動可能に突設し、包装ケースの一の前面壁と一の側壁とにそれぞれその連結片を固着し、他方の半片側の両側端縁は、包装ケースから離脱可能にしてあって、ケースの菱形方向への折畳みの閉じに対して、その挟み込みで鍔板部材が二つ折りで順応し得るように構成してあることを特徴とする水袋付き立式切り花ケースを提供する。
【０００９】
水袋付き立式切り花ケースを上記のように構成したから、包装ケースを胴部が矩形の折開きの状態から、一対角線に向かって両面から押しながら菱形方向へ折り畳むと、その対角線に沿った山折り線を有する鍔板部材は一方の半片に有する両ヒンジ折りを基準に反転しながら二つ折りに変形し、反転によって他の半片が持ち上がる。また、鍔板部材に接着され、それに垂れていた水袋は、鍔板部材の二つ折りに従って偏平に変形し、全体の折り畳みがこれで完了する。また、包装ケースを折り開くと、丁度逆に、鍔板部材が平板方向へ開き、水袋は鍔板部材の開きにより平袋状態から容易に引き開かれて膨らむ。
【発明の効果】
【００１０】
以上説明したように、この発明の水袋付き立式切り花ケースによれば、水袋の上を覆う鍔板部材が包装ケースと直接連結されているので、取付け強度が安定し脱落することは決してなく、また、ケースの折畳み・折開きの支障にはならないことはもちろん、支障なく円滑に順応し、その鍔板部材の開閉に水袋も確実に順応するため、切り花の輸送やケース自体の保管や運搬に際しての折畳み・折開きの作業性が良くなるとともに、切り花の支持に信頼性が高まるという優れた効果がある。
【００１１】
加えて、請求項２によれば、使用中における鍔板部材の安定性が良くなり、請求項３によれば、水の勢いを逃し水漏れを防止し請求項４によれば天窓により通気性が良くなる。
【図面の簡単な説明】
【００１２】
【図１】この発明の第１実施例を一部切欠して示す水袋付き立式切り花ケースの斜視図である。
【図２】同実施例における包装ケースの展開図である。
【図３】同実施例における鍔板部材の平面図である。
【図４】同実施例における水袋を平袋としての原型で示す正面図である。
【図５】同水袋付き立式切り花ケースの組立て（折開き）状態を示し、（イ）図は高さ中間部で上から見た概略の横断面図、（ロ）図は（イ）図のＡ−Ａ図矢視の断面図、（ハ）図はＢ−Ｂ線矢視の断面図である。
【図６】同水袋付き立式切り花ケース折畳み状態をその中途において示し、（ａ）図は図５の（イ）図に対応する位置における横断面図、（ｂ）図はＸ−Ｘ線矢視の断面図、（ｃ）図はＹ−Ｙ線矢視の断面図である。
【図７】第２実施例を図１に対応して示す水袋付き立式切り花ケースの斜視図である。
【図８】第２実施例を図２に対応して示す包装ケースの展開図である。
【図９】第２実施例を図３に対応して示す鍔板部材の平面図である。
【発明を実施するための形態】
【００１３】
この発明は、菱形方向への折畳み形式の切り花包装ケース１に関して、鍔板部材５と水袋３とを如何に簡単且つ確実に折畳み・折開きに順応させるかを目的としたもので、このことを中心に実施例１及び２を説明するが、要部は同じであり他は如何様にも実施できる。なお、要部は実施例１でほゞ説明するので、実施例２の図面では同符号を付して説明を省略する。
【実施例１】
【００１４】
図１ないし図６は、一実施例を示したもので、その水袋付き立式切り花ケースは、縦長でＡ式の段ボール製の包装ケース１を主体として、その下端部に水袋３を内装し、水袋３の上を覆う補強用の鍔板部材５が包装ケース１に直接に取り付けられる。なお、包装ケース１及び鍔板部材５は、紙製の段ボールの他に、通い箱と使用する場合は、プラスチック製段ボールや、樹脂製発泡ボードや厚紙ボード等、素材は特に限定されるものではない。
【００１５】
包装ケース１は、胴部がそれぞれ同じ幅の前後両面壁７，７と、左右両側壁９，９との配列からなり、配列の端の糊代１１により四角柱形に組み立てられ、折畳み可能なＡ式段ボール箱として下端がフラップにより底部が組まれ、上端がフラップにより天部が組まれる。天部については、左右両側壁９，９の上端に内フラップ１２，１２が、前後両面壁７，７に外フラップ１３，１３が連設される。
【００１６】
また、胴部の前面壁７においては、下端部近くに横切り１４を形成することによりそれよりも上端部壁が開閉扉１５として形成され、胴部下端部は水袋３が内装される貯水部１７として構成される。なお、この開閉扉１５の側端に糊代１１に未接着であるので、貯水部１７においてのみ糊代１１が連結機能を果たしている。
【００１７】
水袋３は、プラスチックフィルムのチューブからなる平袋であって、チューブの偏平素材を横長に用い、切断両端にシール１９，１９を施し、上端中央に半円の切欠を形成することにより、円形となる袋口２１が設けられる。幅は包装ケース１の胴部の一対角線の長さにほゞ同じ程度とする。この水袋３は、鍔板部材５と合体させてから、鍔板部材５を介して包装ケース１に取り付けられる。なお水袋３は、平袋に限定されず、ガゼット型袋であっても本発明を実施することができる。
【００１８】
鍔板部材５は、素材として段ボールまたは板紙，プラスチック製段ボール等が使用され、基本的には包装ケース１の内周に沿ってそれに納まる矩形であって、二つ折り可能に一対角線に沿って山折り線２３が設けられ、その両端角が取られて角欠け２５，２５を有する。この角欠け２５，２５があるために、二つ折りが容易となる。また、水袋３の中の水がケース転倒時に袋角へ逃げる口となり、この緩衝機能で水袋３内の水が波乱して袋口２１から溢れるというような不都合が防止される。また、この鍔板部材５には、二つ折りの上端部中央に、袋口２１と同じく半円の切欠により円形となる差し口２７が設けられ、その周囲に放射状に切込み２９，２９，・・が緩衝のために設けられる。
【００１９】
また、鍔板部材５は、包装ケース１に対する取り付けのために、一対の連結片３１，３１が端縁から突設してあり、揺動可能にヒンジ折り３０が基端に形成される。その位置は、差し口２７を中心とした片側部における隣接両端縁である。この両端縁においてのみ包装ケース１に対して離脱不能に連結される。他の片側部の両端縁は、包装ケース１の内面に対して離脱自由であるが、連結片３１，３１で片持ちに支持される。しかし、水の重みに耐えやすく、フリーな端縁に包装ケース１の壁に差し込まれる突起片３３が形成される。これは一片であるが、両端縁に設けることもある（第２実施例参照）。３５が突起片３３が差し込まれる掛止溝である。
【００２０】
水袋３と鍔板部材５との合体については、水袋３の平袋の状態においてそれを鍔板部材５の二つ折りの間に挟むことにより接着する。接着剤を塗布する接着範囲は図３において鎖線で囲まれる範囲程度する。しかし、鍔板部材５の下面に全面的であっても良い。
【００２１】
水袋３と鍔板部材５の取付け手順については、水袋３を挟んで取り付けた二つ折りの鍔板部材５を、その状態において包装ケース１の中に入れてそれを折り畳みに閉じながら連結片３１，３１を所定の位置に接着すると良い。接着してから包装ケース１を折り開くと、鍔板部材５は二つ折りの閉じから開き、同時に水袋３も開く（図１）。
【００２２】
なおこの場合、図６（ｃ）に示すように、二つ折りされた鍔板部材５において、差し口２７周辺の放射状切込み２９，２９…により形成されている放射状部片２９ａ，２９ａ…の一部を水袋３の袋口２１により水袋３内に差し込むように折り込むことが望ましい。こうすることにより、水袋３が折り畳みにより真空状態に接合してしまうのを防止することができる。
【００２３】
次いで、底部と天部とを閉じることにより使用形態の安定した箱形となるので、切り花の搬送時には開閉扉１５を一旦開いて水袋３に水を注入し、鍔板部材５の差し口２７から水袋３に切り花を差し込む。なお、左右両側壁９，９には、持ち手の掛け孔３７，３７が設けられる他、切り花を転倒しないように紐で止め得るよう、内側へ起こして使用する紐掛け３９，３９が形成されている（図２参照）。
【００２４】
図５は、使用形態の箱形においてこの発明の要部を示したものである。これからも分かるように、鍔板部材５の半片が両側端縁連結片３１，３１によって包装ケース１の一の前面壁７と一の側壁９とに支持されているために（（ロ）図）水平状態を保持する。また、他の半片については、一の突起片３３が包装ケース１に穿孔される掛止溝３５に差し込まれ、このことによっても水平状態の保持が確実となる。
【００２５】
上端の内フラップ１２，１２と外フラップ１３，１３との組み込みにより構成される天部には、通気等のための天窓４１が組み込みでできる。これについて、互いに差し合う両内フラップ１２，１２に幅切欠部４１ａ，４１ａが形成され、後部面壁７上の外フラップ１３には上部抜け穴４１ｂが形成される。また、互いに差し合う両内フラップ１２，１２に一条に並ぶ掛止溝４３ができるように溝切欠部４３ａ，４３ａが形成され、両外フラップ１３，１３には、その掛止溝４３に差し込まれる掛止片４５，４５が形成される。したがって、開閉扉１５を開閉するときには、その上端の外フラップ１３の掛止片４５を掛止溝４３から抜き差しすることになる。
【実施例２】
【００２６】
水袋付き立式切り花ケースは、前記実施例とほゞ同様であって、違いとしては、前記実施例では、鍔板部材５に一の突起片３３を設けたのに対して、一対ずつ突起片３３，３３を設け、包装ケース１にはそれぞれの掛止溝３５，３５を設けた。また、開閉扉１５に二段開きするための傾斜折り線４８が形成される。
【００２７】
さらに、内フラップ１２，１２、外フラップ１３，１３を材料的に合理化できるよう短突形に形成し、それらの井桁組みによりその中央に天窓４１を設けた。その組み方については、内フラップ１２，１２にＬ字形のスリット４７，４７を設け、これに対して外フラップ１３，１３に差込片４９，４９が形成される。５１が差込片４９，４９を上下反転操作するための折り線である。
【符号の説明】
【００２８】
１  包装ケース
３  水袋
５  鍔板部材
７  前後両面壁
９  左右両側壁
１２  内フラップ
１３  外フラップ
１４  横切り
１５  開閉扉
１７  貯水部
２１  袋口
２３  山折り線
２５  角欠け
２９  放射状切込み
２９ａ  放射状部片
３０  ヒンジ折り
３１  連結片
３３  突起片
３５  掛止溝
４１  天窓
【図１】
0005595182.tif 000002
【図２】
0005595182.tif 000003
【図３】
0005595182.tif 000004
【図４】
0005595182.tif 000005
【図５】
0005595182.tif 000006
【図６】
0005595182.tif 000007
【図７】
0005595182.tif 000008
【図８】
0005595182.tif 000009
【図９】
0005595182.tif 000010